(57)【特許請求の範囲】
【請求項１】
複数本の支柱と、これらの支柱のうち、隣接する２本の前記支柱に架け渡された横架材と、作業者が乗るために前記横架材により水平に支持された作業布板と、を含んで構成されている仮設構造物の補強フレームであって、
前記作業布板の上方において、前記２本の支柱の間に水平に配置された水平部材と、この水平部材にそれぞれの上端部が結合され、前記水平部材から互いに逆向きの斜め下向きに延びる２本の斜め部材と、を有し、前記水平部材の両端部に、前記横架材が架け渡されている前記２本の支柱に対して接続状態とされる第１接続部材が設けられているとともに、前記２本の斜め部材のそれぞれの下端部に、前記横架材が架け渡されている前記２本の支柱に対して接続状態とされる第２接続部材が設けられ、
前記第１接続部材と前記第２接続部材の両方が、前記支柱を内部に嵌合するためのコ字状又は略コ字状のブラケット部材となっており、
コ字状又は略コ字状の前記ブラケット部材となっている前記第１接続部材と前記第２接続部材とのうち、少なくとも一方の接続部材には、この接続部材の開口部を水平に横断してこの開口部を閉鎖することにより前記支柱を前記接続部材の内部に固定するための閉鎖部材が用いられ、
前記閉鎖部材は、前記支柱に対する水平方向の距離が前記横断方向に連続的に変化する傾斜部を有する楔状部材となっており、
前記第１接続部材と前記第２接続部材とのうち、一方の接続部材の前記開口部の水平方向の幅寸法は、他方の接続部材の前記開口部の水平方向の幅寸法よりも大きくなっており、前記閉鎖部材は、前記水平方向の幅寸法が大きい前記接続部材だけに用いられることを特徴とする仮設構造物の補強フレーム。
【請求項２】
請求項１に記載の仮設構造物の補強フレームにおいて、前記閉鎖部材が用いられる前記接続部材は、前記第１接続部材と第２接続部材とのうち、下側の第２接続部材であることを特徴とする仮設構造物の補強フレーム。
【請求項３】
請求項１又は２に記載の仮設構造物の補強フレームにおいて、コ字状又は略コ字状の前記ブラケット部材となっている前記第１接続部材と前記第２接続部材は、前記仮設構造物の桁方向に向かって前記開口部が開口しているものとなっていることを特徴とする仮設構造物の補強フレーム。
【請求項４】
請求項１〜３のいずれかに記載の仮設構造物の補強フレームにおいて、前記２本の斜め部材のそれぞれの前記上端部は、前記水平部材の長手方向の間隔をあけてこの水平部材に結合されており、前記２本の斜め部材は交差していないことを特徴とする仮設構造物の補強フレーム。
【請求項５】
請求項１〜４のいずれかに記載の仮設構造物の補強フレームにおいて、前記水平部材と、前記２本の斜め部材との間には、これらの水平部材と斜め部材とを連結するための連結部材が前記斜め部材ごとに設けられていることを特徴とする仮設構造物の補強フレーム。
【発明の詳細な説明】
【技術分野】
【０００１】
本発明は、建築や土木等の作業現場で構築される仮設構造物の強度を確保するための補強フレームに係り、作業者が乗る作業布板が用いられて構築される仮設足場等の仮設構想物に利用できるものである。
【背景技術】
【０００２】
下記の特許文献１には、建築や土木等の作業現場で構築される仮設構造物となっている仮設足場が示されており、この仮設足場は、建枠を用いて構築されるものではなく、複数本の支柱と、これらの支柱のうち、隣接する２本の支柱に架け渡された横架材と、作業者が乗るために横架材により水平に支持された作業布板と、を含んで構築されている。
【先行技術文献】
【特許文献】
【０００３】
【特許文献１】特開２０１３−１９４４６１号公報
【発明の概要】
【発明が解決しようとする課題】
【０００４】
建枠を用いずに複数本の支柱を用いて構築される仮設足場等の仮設構造物でも、構築後の大きな強度を確保することが求められるが、このような強度は、横架材により水平に支持される上記作業布板の上に乗って移動する作業者にとって邪魔にならないもので確保されることが求められる。
【０００５】
本発明の目的は、仮設構造物の強度を、横架材により水平に支持される作業布板の上に乗って移動する作業者にとって邪魔にならずに確保することができるようになる仮設構造物の補強フレームを提供するところにある。
【課題を解決するための手段】
【０００６】
本発明に係る仮設構造物の補強フレームは、複数本の支柱と、これらの支柱のうち、隣接する２本の前記支柱に架け渡された横架材と、作業者が乗るために前記横架材により水平に支持された作業布板と、を含んで構成されている仮設構造物の補強フレームであって、前記作業布板の上方において、前記２本の支柱の間に水平に配置された水平部材と、この水平部材にそれぞれの上端部が結合され、前記水平部材から互いに逆向きの斜め下向きに延びる２本の斜め部材と、を有し、前記水平部材の両端部に、前記横架材が架け渡されている前記２本の支柱に対して接続状態とされる第１接続部材が設けられているとともに、前記２本の斜め部材のそれぞれの下端部に、前記横架材が架け渡されている前記２本の支柱に対して接続状態とされる第２接続部材が設けられていることを特徴とするものである。
【０００７】
このため、本発明に係る仮設構造物の補強フレームは、横架材が架け渡された２本の支柱の間に水平に配置された水平部材と、この水平部材にそれぞれの上端部が結合され、水平部材から互いに逆向きの斜め下向きに延びる２本の斜め部材と、を有するものになっており、水平部材の両端部には、２本の支柱に対して接続状態とされる第１接続部材が設けられ、２本の斜め部材のそれぞれの下端部には、２本の支柱に対して接続状態とされる第２接続部材が設けられているため、これらの第１接続部材と第２接続部材とにより、補強フレームは仮設構造物に取り付けられた状態になる。
【０００８】
また、この補強フレームは水平部材と２本の斜め部材とを有するものとなっているため、これらの水平部材と斜め部材により、仮設構造物に求められる強度を充分確保できることになる。
【０００９】
また、水平部材は、作業者が乗るために横架材により水平に支持された作業布板の上方において、横架材が架け渡された２本の支柱の間に水平に配置されており、水平部材にそれぞれの上端部が結合された２本の斜め部材は、水平部材から互いに逆向きの斜め下向きに延びるものとなっているため、本発明に係る補強フレームは、作業布板の上に乗って移動する作業者にとって邪魔にならず、作業者は、作業布板の上を補強フレームを気にすることなく歩くことができ、作業者の良好の通行性を得られる。
【００１０】
以上の本発明において、水平部材にそれぞれの上端部が結合され、水平部材から互いに逆向きの斜め下向きに延びる２本の斜め部材は、これらの斜め部材の上端部を、水平部材の長手方向の間隔をあけずにこの水平部材に結合したり、あるいは、水平部材の長手方向の間隔をあけてこの水平部材に結合し、これらの斜め部材を交差させてもよいが、２本の斜め部材のそれぞれの上端部を、水平部材の長手方向の間隔をあけてこの水平部材に結合し、これらの斜め部材を交差させないことが好ましい。
【００１１】
これによると、作業者が乗って移動する作業布板の上方に、作業布板から水平部材まで達する大きな高さ寸法の空間部を確保することができるようになるため、作業者が作業布板の上に乗って移動する際に、補強フレームは一層邪魔にならないものとなる。
【００１２】
また、以上の本発明において、水平部材と、２本の斜め部材との間には、これらの水平部材と斜め部材とを連結するための連結部材を斜め部材ごとに設けることが好ましい。
【００１３】
これによると、補強フレーム自身の強度が連結部材により一層大きくなるため、補強フレームにより補強される仮設構造物の強度も一層大きくできることになる。
【００１４】
さらに、以上の本発明において、水平部材の両端部に、前記２本の支柱に対して接続状態とするための第１接続部材と、２本の斜め部材の下端部を前記２本の支柱に対して接続状態とするための第２接続部材は、支柱に対して接続状態とすることができるものであって、補強フレームを仮設構造物に取り付けることができるものであれば、その形態や構造は任意であり、また、接続状態とは、支柱に固定されるものでもよく、支柱に固定されないものでもよい。
【００１５】
このような接続部材の一例は、支柱を内部に嵌合するためのコ字状又は略コ字状のブラケット部材であり、接続部材の他の例は、支柱に対して挿抜可能のピンである。
【００１６】
また、接続部材を、支柱を内部に嵌合するためのコ字状又は略コ字状のブラケット部材とする場合には、第１接続部材と第２接続部材とのうち、少なくとも一方の接続部材をこのようなブラケット部材としてもよく、第１接続部材と第２接続部材の両方をこのようなブラケット部材としてもよい。
【００１７】
また、第１接続部材と第２接続部材の両方を、支柱を内部に嵌合するためのコ字状又は略コ字状のブラケット部材とする場合には、少なくとも一方の接続部材には、この接続部材の開口部を水平に横断してこの開口部を閉鎖することにより前記支柱を前記接続部材の内部に固定するための閉鎖部材を用いてもよい。
【００１８】
これによると、閉鎖部材が用いられる接続部材を、この閉鎖部材により支柱に固定することができる。
【００１９】
また、このような閉鎖部材は、支柱に対する水平方向の距離が前記横断方向に一定となっているものとしてもよいが、支柱に対する水平方向の距離が前記横断方向に連続的に変化する傾斜部を有する楔状部材とすることが好ましい。
【００２０】
これによると、接続部材は、楔状部材の楔効果により、一層有効に支柱に固定されることになる。
【００２１】
さらに、上記閉鎖部材は、第１接続部材と第２接続部材の両方に用いてもよいが、第１接続部材と第２接続部材とのうち、一方の接続部材の開口部の水平方向の幅寸法を、他方の接続部材の開口部の水平方向の幅寸法よりも大きくし、閉鎖部材を、水平方向の幅寸法が大きい接続部材だけに用いてもよい。
【００２２】
これによると、閉鎖部材を第１接続部材と第２接続部材の両方に用いる場合よりも閉鎖部材の個数を削減できるとともに、閉鎖部材の長さを大きくできるため、楔部材となっている閉鎖部材の楔効果を得るための傾斜角度を小さくでき、これにより、楔効果を一層有効に実現できることになる。
【００２３】
以上説明した本発明に係る補強フレームは、建築や土木等の作業現場において、作業者が乗る作業布板が用いられて構築される任意の仮設構造物に適用することができ、その一例は、建築現場で構築される仮設足場である。
【発明の効果】
【００２４】
本発明によると、仮設足場等の仮設構造物の強度を、横架材により水平に支持される作業布板の上に乗って移動する作業者にとって邪魔にならずに確保できるようになるという効果を得られる。
【図面の簡単な説明】
【００２５】
【図１】図１は、仮設構造物である仮設足場の一部を示す斜視図である。
【図２】図２は、２本の支柱に架け渡された横架材を示す正面図である。
【図３】図３は、本発明の一実施形態に係る補強フレームの全体を示す斜視図である。
【図４】図４は、補強フレームの正面図である。
【図５】図５は、補強フレームの背面図である。
【図６】図６は、補強フレームの側面図である。
【図７】図７は、図３のＳ７−Ｓ７線断面図である。
【図８】図８は、補強フレームを隣接する２本の支柱に取り付けたときを示す正面図である。
【図９】図９は、図８のＳ９−Ｓ９線断面図である。
【図１０】図１０は、図８及び図９で示されている楔状部材となっている閉鎖部材を示す斜視図である。
【発明を実施するための形態】
【００２６】
以下に本発明を実施するための形態を図面に基づいて説明する。図１には、本発明の一実施形態に係る補強フレーム２０が適用された仮設構造物の一部が示されており、この仮設構造物は、建築現場で構築される仮設足場１である。この仮設足場１は、複数本の支柱２と、互いに隣接する２本の支柱２，２に架け渡された横架材３と、作業者が乗るために横架材３により水平に支持された作業布板４と、を含んで構築されており、図１は、建築物の周囲に構築される仮設足場１の一部だけを示しているため、図１には、４本の支柱２が示されている。建地パイプ材である支柱２には、建築物側に立設された支柱２Ａと、この支柱２Ａに対して建物側とは反対側に立設された支柱２Ｂとがあり、複数の支柱２Ａが並設されている方向は、桁方向Ａであり、支柱２Ａと支柱２Ｂが並設されている方向は、妻方向Ｂであり、仮設足場１は、それぞれ３本以上の支柱２Ａと２Ｂが桁方向Ａに並設されることにより構築されている。
【００２７】
それぞれの支柱２には、これらの支柱２に上記横架材３等の仮設足場構成部材を結合するための継手部材が、支柱２の長さ方向に複数個設けられており、これらの継手部材は、本実施形態では厚板状のフランジ部材５となっている。これらのフランジ部材５は、支柱２との間で上下の貫通孔５Ａが形成されたものとなっており、貫通孔５Ａは、支柱２の円周方向に４個設けられている。
【００２８】
なお、上述の継手部材は、フランジ部材５ではなく、上下方向の長さを有するポケット部材でもよい。
【００２９】
上記横架材３は、妻方向Ｂに延びる長さを有するものになっているため、この横架材３は、妻方向Ｂに互いに隣接している２本の支柱２，２となっている支柱２Ａと支柱２Ｂに架け渡されている。図２には、これらの支柱２Ａと支柱２Ｂに架け渡された横架材３が示されており、横架材３の両端部には、端部部材６が設けられ、これらの端部部材６には、フランジ部材５を挿入するための水平の溝部６Ａが形成されているとともに、この溝部６Ａの上下は支柱２Ａ，２Ｂと対面する対面部６Ｂ，６Ｃとなっている。それぞれの端部部材６には、楔状部材７を上下に挿通させるための孔部８が溝部６Ａに跨って形成されており、端部部材６を上下に貫通しているこの孔部８の支柱２側の端部は、対面部６Ｂ，６Ｃにより閉塞された閉塞部となっている。
【００３０】
それぞれの端部部材６の溝部６Ａにフランジ部材５を挿入した後に、孔部８に楔状部材７を上から挿入し、この楔状部材７を上から打圧することにより、楔状部材７における支柱２側の前面が、孔部８の支柱２側の上記閉塞部に当接するとともに、楔状部材７における支柱２側とは反対側の後面が、図１で示したフランジ部材５の貫通孔５Ａにおける支柱２側とは反対側の端部に当接することにより、横架材３の両端部は、楔状部材７の楔作用によって２本の支柱２Ａと支柱２Ｂに結合され、これにより、横架材３はこれらの支柱２Ａ、２Ｂに架け渡される。
【００３１】
このように２本の支柱２Ａ，２Ｂに架け渡される横架材３は、図１に示されているように、桁方向Ａに複数本設けられ、これらの横架材３のうち、桁方向Ａに互いに隣接している２本の横架材３により、作業者が乗って歩くための作業布板４が水平に支持される。この作業布板４には、桁方向Ａである作業布板４の長手方向の両端部において、フック部材９が設けられており、これらのフック部材９を横架材３に上から係止することにより、作業布板４は、互いに隣接する２本の横架材３に架け渡されて、これらの横架材３により水平に支持される。
【００３２】
なお、図１の実施形態の仮設足場１では、２個の作業布板４が妻方向Ｂに並設されているとともに、それぞれの作業布板４は、妻方向Ｂに並べられた２枚の踏板１０を有するものとなっている。また、図１の仮設足場１は、桁方向Ａに互いに隣接している２本の支柱２Ａ，２Ａに手摺り部材１１が架け渡されて構築されているとともに、桁方向Ａに互いに隣接している２本の支柱２Ｂ，２Ｂに、水平部材１２Ａとブレース部材１２Ｂからなる先行手摺り部材１２が架け渡されて構築されている。
【００３３】
図１に示されているように、作業布板４の上方には、本実施形態に係る補強フレーム２０が、妻方向Ｂに互いに隣接している２本の支柱２Ａと支柱２Ｂに架け渡されて配置されている。図３は、この補強フレーム２０を示しており、図１及び図３に示されているように、補強フレーム２０は、作業布板４の上方において、２本の支柱２Ａと支柱２Ｂの間に水平に配置される水平部材２１と、この水平部材２１にそれぞれの上端部が結合され、水平部材２１から互いに逆向きの斜め下向きに延びる２本の斜め部材２２と、を有するものとなっており、水平部材２１の両端部には、横架材３が架け渡されている２本の支柱２Ａと支柱２Ｂに対して接続状態とされる第１接続部材となっている第１ブラケット部材２３が設けられているとともに、２本の斜め部材２２のそれぞれの下端部には、横架材３が架け渡されている２本の支柱２Ａと支柱２Ｂに対して接続状態とされる第２接続部材となっている第２ブラケット部材２４が設けられている。また、水平部材２１と、２本の斜め部材２２との間には、これらの水平部材２１と斜め部材２２とを連結するための連結部材２５が斜め部材２２ごとに設けられている。
【００３４】
図４、図５、図６及び図７は、補強フレーム２０の正面図、背面図、側面図及び図３のＳ７−Ｓ７線断面図である。図１及び図４〜図７から分かるように、補強フレーム２０は、妻方向Ｂに互いに隣接している２本の支柱２Ａと支柱２Ｂの間の中央部を中心に左右対称の形状となっている。また、図７から分かるように、水平部材２１と斜め部材２２はパイプ材で形成されており、連結部材２５は厚板材で形成されている。
【００３５】
また、２本の斜め部材２２の上端部は、水平部材２１の長手方向（妻方向Ｂ）の間隔をあけてこの水平部材２１に結合されており、２本の斜め部材２２は交差していない。
【００３６】
図３に示されているように、水平部材２１の長手方向の両端部に設けられている第１ブラケット部材２３は、支柱２Ａ，２Ｂを内部に嵌合できるようにするために、桁方向Ａに向かって開口した開口部２６を有する水平断面コ字状となっているため、この第１ブラケット部材２３は、閉鎖面部２３Ａと、この閉鎖面部２３Ａの妻方向Ｂの両端部から桁方向Ａに突出した一対の突出面部２３Ｂ，２３Ｃとからなる。また、それぞれの斜め部材２２の下端部に設けられている第２ブラケット部材２４も、支柱２Ａ，２Ｂを内部に嵌合できるようにするために、桁方向Ａに向かって開口した開口部２７を有するものとなっており、このため、第２ブラケット部材２４も、閉鎖面部２４Ａと、この閉鎖面部２４Ａの妻方向Ｂの両端部から桁方向Ａに突出した一対の突出面部２４Ｂ，２４Ｃとからなっているが、これらの突出面部２４Ｂ，２４Ｃのうち、水平部材２１の長手方向内側の突出面部２４Ｂには、水平部材２１の長手方向の斜めに屈曲した段差部２４Ｄが形成されているため、第２ブラケット部材２４は、水平断面略コ字状となっている。
【００３７】
そして、第１ブラケット部材２３の開口部２６と第２ブラケット部材２４の開口部２７は、桁方向Ａのうち、同じ側に向かって開口しており、これらの開口部２６と開口部２７のうち、開口部２７についての水平方向の開口幅寸法は、段差部２４Ｄにより、開口部２６についての水平方向の開口幅寸法よりも大きくなっている。また、第２ブラケット部材２４の一対の突出面部２４Ｂ，２４Ｃは、第１ブラケット部材２３の一対の突出面部２３Ｂ，２３Ｃよりも桁方向Ａへの突出長さが長くなっており、第２ブラケット部材２４の突出面部２４Ｂ、２４Ｃのうち、第１ブラケット部材２３の突出面部２３Ｂ，２３Ｃの突出長さを越える部分には、孔部２８，２９が形成されている。
【００３８】
これらの孔部２８，２９には、第１ブラケット部材２３の内部と第２ブラケット部材２４の内部とに支柱２Ａ，２Ｂを嵌合したときを示している図８と、図８のＳ９−Ｓ９線断面図である図９とに示されているように、閉鎖部材３０が挿通され、この閉鎖部材３０は、第２ブラケット部材２４の開口部２７を水平に横断してこの開口部２７を閉鎖することにより、支柱２Ａ，２Ｂを第２ブラケット部材２４の内部に固定するための部材となっている。
【００３９】
図１０には、閉鎖部材３０が示されている。この閉鎖部材３０は、厚板の折り曲げで形成されており、このため、桁方向Ａが長さ方向となっている閉鎖部材３０は、上下方向の幅寸法を有するベース部３０Ａと、このベース部３０Ａの上下両端部に、支柱２Ａ、２Ｂ側への幅寸法を有して形成された一対のフランジ部３０Ｂ，３０Ｃとからなり、したがって、閉鎖部材３０の鉛直断面は、支柱２Ａ，２Ｂ側に向かって開口したコ字状となっている。また、それぞれのフランジ部３０Ｂ，３０Ｃは、支柱２Ａ，２Ｂに対する水平方向の距離（上記幅寸法）が、図９から分かるように、上記開口部２７の横断方向に連続的に変化する傾斜部となっており、このため、閉鎖部材３０は、図１０に示されているように、楔状部材となっている。
【００４０】
そして、以上のように閉鎖部材３０は、鉛直断面がコ字状となっている部材であるため、第２ブラケット部材２４に閉鎖部材３０を挿通するために形成されている孔部２８，２９のうち、閉鎖部材３０がはじめに挿入される孔部２８は、図３に示されているように、鉛直形状がコ字状のものとなっている。
【００４１】
なお、閉鎖部材３０は、上述の厚板の折り曲げ品ではなく、例えば、鋳造品としてもよい。
【００４２】
本実施形態に係る補強フレーム２０を図１で示した仮設足場１に取り付ける作業は、図１、図８及び図９から分かるように、作業布板４の上方において、前述の第１接続部材となっていて、水平断面コ字状となっている第１ブラケット部材２３の内部と、前述の第２接続部材となっていて、水平断面略コ字状となっている第２ブラケット部材２４の内部とに支柱２Ａ，２Ｂを嵌合し、次いで、閉鎖部材３０を第２ブラケット部材２４の孔部２８，２９のうち、孔部２８から挿入して孔部２８，２９に挿通させることにより、閉鎖部材３０を第２ブラケット部材２４の開口部２７を水平に横断させ、開口部２７を閉鎖部材３０により閉鎖する。これにより、支柱２Ａ，２Ｂは第２ブラケット部材２４の内部に固定されることになり、この固定により、補強フレーム２０は、図１に示されているように、横架材３により連結されている２本の支柱２Ａ，２Ｂに取り付けられることになり、仮設足場１の強度が補強フレーム２０で補強されて仮設足場１の充分の強度を確保できることになる。
【００４３】
なお、補強フレーム２が２本の支柱２Ａ，２Ｂに取り付けられる以前に、閉鎖部材３０を、孔部２８，２９のうち、孔部２８に予め抜け止めして挿通させておき、これにより、閉鎖部材３０を、第２ブラケット部材２４の開口部２７を水平に横断させるための上記作業を、孔部２９に閉鎖部材３０を挿通させる作業として行うようにしてもよい。
【００４４】
また、本実施形態によると、補強フレーム２０は、図１で示した妻方向Ｂに仮設足場１に取り付けられるものであり、また、補強フレーム２０の水平部材２１は、作業布板４の上方において、妻方向Ｂに隣接して配置された２本の支柱２Ａ，２Ｂの間に水平に配置されるため、作業布板４の上に乗って桁方向Ａに歩行する作業者にとって補強フレーム２０は邪魔にならず、作業者の良好の通行性を確保することができる。
【００４５】
また、支柱２Ａ，２Ｂに対する第１接続部材及び第２接続部材となっている第１ブラケット部材２３及び第２ブラケット部材２４を２本の支柱２Ａ，２Ｂに接続状態とするための作業、言い換えると、これらのブラケット２３，２４の内部に支柱２Ａ，２Ｂを嵌合するための作業は、これらのブラケット２３，２４が桁方向Ａに向かって開口している開口部２６，２７を有するものとなっているため、作業者が補強フレーム２０を持って、この補強フレーム２０を支柱２Ａ，２Ｂに対して桁方向Ａに水平移動させるだけにより、容易に行える。
【００４６】
さらに、本実施形態では、上述したように閉鎖部材３０のフランジ部３０Ｂ，３０Ｃは、支柱２Ａ，２Ｂに対する水平方向の距離が第２ブラケット部材２４の開口部２７の横断方向に連続的に変化する傾斜部となっており、これにより、閉鎖部材３０は楔状部材となっているため、閉鎖部材３０を打圧して開口部２７を横断させることにより、フランジ部３０Ｂ，３０Ｃにおける支柱２Ａ，２Ｂ側の側面が楔効果により支柱２Ａ，２Ｂに大きな荷重で圧接することになる。このため、第２ブラケット部材２４を支柱２Ａ，２Ｂに大きな強度で固定できることになり、補強フレーム２０を大きな強度により仮設足場１に取り付けることができる。
【００４７】
また、本実施形態に係る水平断面コ字状の第１ブラケット部材２３は閉鎖部材３０が用いられるものとなっておらず、第１ブラケット部材２３は支柱２Ａ、２Ｂを内部に嵌合するだけのものとなっているため、用意しなければならない閉鎖部材３０の個数を少なくすることができる。
【００４８】
また、閉鎖部材３０が用いられる第２ブラケット部材２４の開口部２７は、閉鎖部材３０が用いられない第１ブラケット部材２３の開口部２６よりも水平方向の幅寸法が大きいため、閉鎖部材３０の長さが長くなり、このため、楔部材となっている閉鎖部材３０の上述した楔効果を得るための傾斜角度を小さくできるため、楔効果を一層有効に実現できる。
【００４９】
さらに、閉鎖部材３０は、支柱２Ａ，２Ｂに圧接する側が上下２個のフランジ部３０Ｂ，３０Ｃとなっているため、支柱２Ａ，２Ｂに対する圧接力をこれらのフランジ部３０Ｂ、３０Ｃの変形により大きくすることができる。
【００５０】
また、本実施形態に係る補強フレーム２０は、水平部材２１と、２本の斜め部材２２との間に、これらの水平部材２１と斜め部材２２とを連結するための連結部材２５が斜め部材２２ごとに設けられたものとなっているため、補強フレーム２０自身の強度を連結部材２５により一層大きくすることができ、このため、補強フレーム２０により補強される仮設足場１の強度も一層大きくできる。
【００５１】
また、水平部材２１にそれぞれの上端部が結合され、水平部材２１から互いに逆向きの斜め下向きに延びる２本の斜め部材２２は、これらの斜め部材２２のそれぞれの上端部が水平部材２１の長手方向の間隔をあけてこの水平部材２１に結合されていて、これらの斜め部材２２が交差しないものとなっているため、作業者が乗って移動する作業布板４の上方に、作業布板４から水平部材２１まで達する大きな高さ寸法の空間部を確保することができるようになり、このため、作業者が作業布板４の上に乗って移動する際に、補強フレーム２０を一層邪魔にならないものとすることができる。
【産業上の利用可能性】
【００５２】
本発明は、作業者が乗る作業布板が用いられて建築や土木等の作業現場で構築される仮設足場等の仮設構造物に利用することができる。
【符号の説明】
【００５３】
１  仮設構造物である仮設足場
２，２Ａ，２Ｂ  支柱
３  横架材
４  作業布板
２０  補強フレーム
２１  水平部材
２２  斜め部材
２３  第１接続部材である第１ブラケット部材
２４  第２接続部材である第２ブラケット部材
２５  連結部材
２６，２７  開口部
３０  楔状部材となっている閉鎖部材
【図１】
0006491895.tif 000002
【図２】
0006491895.tif 000003
【図３】
0006491895.tif 000004
【図４】
0006491895.tif 000005
【図５】
0006491895.tif 000006
【図６】
0006491895.tif 000007
【図７】
0006491895.tif 000008
【図８】
0006491895.tif 000009
【図９】
0006491895.tif 000010
【図１０】
0006491895.tif 000011